(57)【特許請求の範囲】
【請求項１】
面内にピン立て用穴、及び位置合わせピンを有する、平板状のベース部と、
基板の隣接する２辺をガイドするための基板ガイド、
及び裏面に作られたピンを前記ピン立て用穴に挿入して、ベース上に戴置される、１又は２つ以上の基板押さえ具からなり、
前記ベース部と基板ガイドが導電材料からなることを特徴とするキャリアボード位置合わせ治具。
【請求項２】
基板押さえ具が、カム形状をしていることを特徴とする、請求項１のキャリアボード位置合わせ治具。
【請求項３】
基板押さえ具が、磁力により固定されていることを特徴とする、請求項１又は２記載のキャリアボード位置合わせ治具。
【発明の詳細な説明】
【技術分野】
【０００１】
本発明は、たとえば、クリームはんだを塗布した半導体基板を、粘着性のキャリアボードに搭載して、クリームはんだをリフロー処理する際に、基板をキャリアボードに位置合わせするために用いられる治具に関する。
【背景技術】
【０００２】
従来、クリームはんだを塗布した半導体基板等の基板をリフロー処理及び部品実装する際に、サイズの小さい基板はそのままリフロー装置へ流すことができないため、通常基板をキャリアボードと呼ばれる搬送用治具に搭載して搬送していた。この際、キャリアボードには基板の外形状に段彫が形成されていた。
しかし、試作品等の新しい規格（形状）の基板をリフロー処理する場合、新しい形状に段彫された専用のキャリアボードを作る必要があり、効率が悪く、非経済的であった。
【０００３】
上記問題を解決すべく、治具上に開口部を設け、開口部の隣接する２辺に基板の側面を弾性的に支持する基板支持バーを設け、前記開口部に基板を嵌め込み、前記基板支持バーの弾性力で基板を保持することにより、基板の形状に対して汎用性を持たせた治具が開示されている。
【特許文献１】特開２００２−７６０２８
【０００４】
しかし、前記治具では基板を保持する際に基板支持バーの弾性力で基板が歪む恐れがあり、且つ基板形状の違いにもある程度までしか対応できず、さらに基板形状ごとに基板支持バーの保持力が異なってしまうという問題もある。
【０００５】
そこで、粘着性のある平面のベース部に位置合わせ用のピン立て穴を設け、基板の形状に合わせてピンにより位置合わせを行う汎用性の高いキャリアボードが開示されている。
【０００６】
しかし、ピンによる位置合わせでは、基板の各辺に対応した位置にピン立て穴があることが必須であり、また位置合わせにも時間がかかり、効率が悪い。
【発明の開示】
【発明が解決しようとする課題】
【０００７】
形状の異なる基板であってもキャリアボード上に基板を精度よく搭載できる位置合わせ用治具を提供する。
【課題を解決するための手段】
【０００８】発明者らは鋭意検討の結果、上記問題点を解決した。
すなわち、
面内にピン立て用穴、及び位置合わせピンを有する、平板状のベース部と、
基板の隣接する２辺をガイドするための基板ガイド、
及び裏面に作られたピンを前記ピン立て用穴に挿入して、ベース上に戴置される、１又は２つ以上の基板押さえ具からなり、
前記ベース部と基板ガイドが導電材料からなることを特徴とするキャリアボード位置合わせ治具、及び
基板押さえ具が、カム形状をしていることを特徴とする、キャリアボード位置合わせ治具、及び
基板押さえ具が、磁力により固定されていることを特徴とする、キャリアボード位置合わせ治具であ
【発明の効果】
【０００９】
本発明のキャリアボード用位置合わせ治具を用いれば、形状の異なる基板であっても、キャリアボード上への基板の位置合わせが容易に、且つ精度よく行なうことができる。
【発明を実施するための最良の形態】
【００１０】
本発明のキャリアボード用位置合わせ治具に関して詳細に説明する。
本発明のキャリアボード用位置合わせ治具は、ベース部、基板ガイド及び基板押さえ具からなり、ベース部に基板ガイドが立設され、基板押さえ具が固定されている。基板ガイドは基板を該治具に載置する際のガイドであり、基板の隣接する２辺の載置位置を決めるためのものである。
その形状は特に限定はなく、Ｌ字形、長方形、円形等挙げられる。またその数も特に制限はない。基板ガイドはベース部に接着剤等で接着されていても良いし、ベース部に孔を開け差込んでも良い。ベース部及び基板ガイドの材質は、静電気除去の点から考慮すると導電材料が望ましい。
【００１１】
一方、基板押さえ具は位置決めされて載置された基板の位置がズレないように基板を保持する部材であり、設ける位置は基板ガイドが設けられた辺の対辺の一辺又は複数辺に１つ又は２つ以上設置するのが好ましい。本発明においては、異なる形状の基板にも容易に対応できるようにするために、基板押さえ具はベース部に磁力によって固定される。基板押さえ具を磁力でベース部に固定するには、基板押さえ具又はベース部の少なくとも一方を磁石にし、磁石でない方は磁性体にすればよい。無論、両方を磁石にすることにより、より強固に基板押さえ具を固定することができる。基板押さえ具やベース部を磁石にするには、これらの部材を磁石で製作したり、磁石を内蔵するように製作すればよい。磁石としては、永久磁石だけではなく、電磁石を使用することもできる。
このようにすることにより、基板押さえ具を基板の形状に合わせた位置へ容易に固定することができる。この際、基板押さえ具の形状は特に制限はなく、Ｌ字型、長方形、円形でもよい。又その数にも制限はない。
【００１２】
次に、本発明の別のキャリアボード用位置合わせ治具としては、基板の隣接する２辺をガイドするための基板ガイド、及び１又は２つ以上のカム形状の基板押さえ具からなり、基板を前記基板ガイドと前記カム形状の基板押さえ具で保持するキャリアボード用位置合わせ治具である。該キャリアボード用位置合わせ治具においても、ベース部に基板ガイドが立設され、カム形状の基板押さえ具が固定されている。基板ガイドは基板を該治具に載置する際のガイドであり、基板の隣接する２辺の載置位置を決めるためのものである。その形状は特に限定はなく、Ｌ字形、長方形、円形等挙げられる。またその数も特に制限はない。基板ガイドはベース部に接着剤等で接着されていても良いし、ベース部に孔を開け差込んでも良い。ベース部及び基板ガイドの材質は、静電気除去の点から考慮すると導電材料が望ましい。
【００１３】
一方、カム形状の基板押さえ具においては、ベース部にピン立用の穴を設け、カム形状の基板押さえ具の底部にピン部を設けて、該ピン部をベース部のピン立用の穴に差込み、カム形状の基板押さえ具がピン部を中心にして回転できるようにする。このようにすることにより、異なる形状の基板にも容易に対応できる。又、ベース部のピン立用の穴を一定間隔で設けておけば、基板形状の変化により一層対応し易くなる。この場合、該ピン立用の穴の間隔は、カム形状の基板押さえ具のカムの中心からの最長の長さよりも狭くする。
又、ピン立てでカム形状の基板押さえ具を固定する際に、基板をより強力に固定するために磁力を併用しても良い。磁力による固定を併用するには、カム形状の基板押さえ具又はベース部の少なくとも一方を磁石にし、磁石でない方は磁性体にすればよい。無論、両方を磁石にすることにより、より強固に基板押さえ具を固定することができる。カム形状の基板押さえ具は、基板ガイドが設けられた辺の対辺の一辺又は複数辺に１つ又は２つ以上設置するのが好ましく、その数にも特に制限はない。
尚、ここで言うカム形状とは、回転軸から端部までの距離が不均一な形状のことを言う。
【００１４】
本発明のキャリアボード用位置合わせ治具を用いて基板をキャリアボードに搭載する方法に関して説明する。
先ず、本発明のキャリアボード用位置合わせ治具の基板ガイドに沿って基板を載置し、基板押さえ具を基板の側面に押さえつけて基板を固定する。次に表面に粘着性を有するキャリアボードの粘着面を下にして、基板の上に載せ、キャリアボード粘着面に基板を移し変える。この際、基板ガイド及び基板押さえ具の高さを基板よりも低くするのが好ましい。
又、本発明のキャリアボード用位置合わせ治具においては、同じ形状又は異なる形状の複数の基板を容易に載置することもでき、一度に複数の基板をキャリアボードに移し変えることができる。
【実施例１】
【００１５】
以下、本発明の実施例を示す。実施例１の本発明のキャリアボード用位置合わせ治具の俯瞰図を図１に、断面図を図２に示す。
キャリアボード用位置合わせ治具１は、該治具のベース部２の上にＬ字形状の基板ガイド３及びＬ字形状の基板押さえ具４、更に、位置合わせ用ピンが設けられた構造となっている。又、ベース部２には磁石部が内蔵されており、SUS３０４製の基板押さえ具４をベース部２に磁力で固定できるようになっている。
【００１６】
図３に前記キャリアボード用位置合わせ治具１に基板６を載置した状態を、又図４に該治具に載置された基板をキャリアボードに搭載する状態の俯瞰図を示す。
先ず、基板６を基板ガイド３に当接させ、基板ガイド３に対向する基板角部に基板押さえ具４を当接させることにより、基板６をキャリアボード用位置合わせ治具１に載置する。次に、キャリアボード１０を基板６を載置したキャリアボード用位置合わせ治具に、位置合わせピン８を利用して重ね合わせた。キャリアボード１０は粘着性を有する耐熱性ウレタンゴムで作製されているため、基板６は粘着力によりキャリアボード１０に張り付き、キャリアボードを該治具から取り外すと基板６をキャリアボード１０の所定の位置に搭載することができる。
【実施例２】
【００１７】
本発明の実施例２の上視図を図５に示し、その断面図を図６に示す。
キャリアボード用位置合わせ治具２１は該治具のベース部２２の上にＬ字形状の基板ガイド２３、カム形状の基板押さえ具２４、及び位置合わせ用ピン２８が設けられた構造となっている。該治具のベース部２２には磁石部２９が内蔵され、SUS３０４製のカム形状の基板押さえ具２４は、該治具のベース部２２に形成されたピン立て用の穴２５に、該基板押さえ具２４の裏面に作られたピンが挿入され、該基板押さえ具２４は回転できるようになっている。
【００１８】
図５のキャリアボード用位置合わせ治具２１を用いた基板２６の搭載方法の上視図を図７に示す。
実施例１と同様に、基板２６の端部を基板ガイド２３に当接させ、カム形状の基板押さえ具２４と当接させることにより、基板２６をキャリアボード用位置合わせ治具２１上に位置合わしながら載置した。その際、該基板押さえ具２４を回転させることにより、基板２６と基板押さえ具２４の間に隙間が開かないようにした。
【００１９】
実施例１と同様にキャリアボード用位置合わせ治具２１上にキャリアボードを配置し、キャリアボードを基板に接触させることにより、基板２６をキャリアボードに貼り付け、キャリアボードをキャリアボード用位置合わせ治具２１から取り外し、反転することにより、基板２６をキャリアボード上の所定の位置に搭載することができた。
【実施例３】
【００２０】
本発明の実施例３の上視図を図８に、その断面図を図９に示す。
キャリアボード用位置合わせ治具３１はピン立て用の穴３５を有する該治具のベース部３２の上に、裏面に固定用のピンをそれぞれ有する円柱形状の基板ガイド３３及びカム形状の基板押さえ具３４、位置合わせ用ピン３８がピンを介して立設された構造となっている。又、治具ベース部３２には磁石部３９が内蔵され、基板ガイド３３及びカム形状の基板押さえ具３４はＳＵＳ３０４により作製されている。
【００２１】
図８のキャリアボード用位置合わせ治具３１を用いた基板３６の搭載方法の上視図を図１０に示す。
実施例１と同様に、基板３６の端部を基板ガイド３３に当接させ、基板押さえ具３４と当接させることにより、基板３６をキャリアボード用位置合わせ治具３１上に位置合わせしながら載置した。その際、カム形状の基板押さえ具３４を回転させることにより、基板３６と基板押さえ具３４の間に隙間が開かないようにした。
【００２２】
実施例１と同様にキャリアボード用位置合わせ治具３１上にキャリアボードを配置し、キャリアボードを基板に接触させることにより、基板３６をキャリアボードに貼り付け、キャリアボードをキャリアボード用位置合わせ治具３１から取り外し、反転することにより、基板３６をキャリアボード上の所定の位置に搭載できた。
【００２３】
図８のキャリアボード用位置合わせ治具３１を用いた複数の基板の搭載方法の上視図を図１１に示す。
実施例１と同様に、基板３６及び３６´の端部を基板ガイド３３に当接させ、基板押さえ具３４と当接させることにより、基板３６をキャリアボード用位置合わせ治具３１上に位置合しながら載置した。その際、基板押さえ具３４を回転させることにより、基板３６及び３６´と基板押さえ具３４の間に隙間が開かないようにした。
【００２４】
実施例１と同様にキャリアボード用位置合わせ治具３１上にキャリアボードを配置し、キャリアボードを基板に重ね合わせることにより、基板３６及び３６´をキャリアボードに貼り付け、キャリアボードをキャリアボード用位置合わせ治具３１から取り外し、反転することにより、基板３６及び３６´をキャリアボード上の所定の位置に搭載できた。
【産業上の利用可能性】
【００２５】
本発明のキャリアボード用位置合わせ治具は基板に塗布したクリームはんだをリフロー処理する際に、基板をキャリアボードに移し変える際の治具として用いることができ、特に、異なった形状の基板にも容易に対応でき、汎用性を有したキャリアボード用位置合わせ治具として広く使用できる。
【図面の簡単な説明】
【００２６】
【図１】本発明のキャリアボード用位置合わせ治具の１実施例（１）
【図２】本発明のキャリアボード用位置合わせ治具の１実施例（２）
【図３】本発明のキャリアボード用位置合わせ治具の１使用例（１）
【図４】本発明のキャリアボード用位置合わせ治具の１使用例（２）
【図５】本発明のキャリアボード用位置合わせ治具の１実施例（３）
【図６】本発明のキャリアボード用位置合わせ治具の１実施例（４）
【図７】本発明のキャリアボード用位置合わせ治具の１使用例（３）
【図８】本発明のキャリアボード用位置合わせ治具の１実施例（５）
【図９】本発明のキャリアボード用位置合わせ治具の１実施例（６）
【図１０】本発明のキャリアボード用位置合わせ治具の１使用例（４）
【図１１】本発明のキャリアボード用位置合わせ治具の１使用例（５）
【符号の説明】
【００２７】
１、２１、３１    キャリアボード用位置合わせ治具
２、２２、３２    治具ベース部
３、２３、３３    基板ガイド
４、２４、３４    基板押さえ具
６、２６、３６    基板
８、２８、３８    位置合わせピン
９、２９、３９    磁石部
１０              キャリアボード
１１              位置合わせ用開口部
２５、３５        ピン立用の穴
【図１】
0005326133.tif 000002
【図２】
0005326133.tif 000003
【図３】
0005326133.tif 000004
【図４】
0005326133.tif 000005
【図５】
0005326133.tif 000006
【図６】
0005326133.tif 000007
【図７】
0005326133.tif 000008
【図８】
0005326133.tif 000009
【図９】
0005326133.tif 000010
【図１０】
0005326133.tif 000011
【図１１】
0005326133.tif 000012